(57)【要約】【課題】洗濯槽内での微生物の繁殖、特にカビの繁殖を抑制するために十分な金属イオン濃度の金属イオン水を洗濯槽に供給することができ、かつ、洗濯物には過剰の金属イオンを付着させることがない、槽洗浄を行うことが可能な洗濯機を提供する。【解決手段】洗濯乾燥機１００は、洗濯物を収容する水槽２と、金属イオン水を生成して水槽２に供給する金属イオン水供給部６と、水槽２内における洗濯物の有無を検出する洗濯物有無検出部９とを備え、洗濯物が水槽２内に存在しないことを洗濯物有無検出部９が検出したときに金属イオン水供給部６が金属イオン水を生成して水槽２に供給する。【選択図】図２
2008183174.tif 000002
【特許請求の範囲】
【請求項１】
洗濯物を収容する洗濯槽と、
金属イオン水を生成して前記洗濯槽に供給する金属イオン水供給部と、
前記洗濯槽内における洗濯物の有無を検出する洗濯物有無検出部とを備え、
洗濯物が前記洗濯槽内に存在しないことを前記洗濯物有無検出部が検出したときに前記金属イオン水供給部が金属イオン水を生成して前記洗濯槽に供給する、洗濯機。
【請求項２】
所定の時間ごとに、洗濯物が前記洗濯槽内に存在しないことを前記洗濯物有無検出部が検出したときに前記金属イオン水供給部が金属イオン水を生成して前記洗濯槽に供給する、請求項１に記載の洗濯機。
【請求項３】
前記洗濯槽は、回転する回転槽を含み、前記金属イオン水供給部が前記洗濯槽に金属イオン水を供給したときに前記回転槽が回転する、請求項１または請求項２に記載の洗濯機。
【請求項４】
前記金属イオン水が銀イオン水であり、前記銀イオン水の銀イオン濃度が４５０ｐｐｂ以上である、請求項１から請求項３までのいずれか１項に記載の洗濯機。
【請求項５】
前記金属イオン水が銀イオン水であり、前記銀イオン水が電気分解により生成される、請求項１から請求項４までのいずれか１項に記載の洗濯機。
【発明の詳細な説明】
【技術分野】
【０００１】
本発明は、一般的には洗濯機に関し、特定的には洗濯物が接触する洗濯槽の内壁面に繁殖する微生物を除菌する機能を備えた洗濯機に関するものである。
【背景技術】
【０００２】
洗濯機で洗濯を行うと、洗濯槽の内壁面に石鹸カスが蓄積する。この石鹸カスを栄養源として細菌やカビといった微生物が繁殖する。細菌やカビが繁殖する箇所は、基本的には洗濯槽内のあらゆる箇所である。普段、水が頻繁に接触する洗濯槽の底部のみならず、たとえば、汚れが蓄積しやすい喫水線の部分や、最高水位時の水面より上方にあり、頻繁に水が接触しない洗濯槽の上部にも、洗濯中に水滴が飛沫となって付着したり、脱水時に内壁に沿って上昇した水が残留したりするため、微生物が繁殖する。
【０００３】
洗濯槽の底部など、洗濯時に水や洗濯物が接触する部分は、洗濯の度に洗浄されることになるため、日常的に洗濯している場合、微生物の繁殖は限られている。しかしながら、洗濯槽の上部に対しては、そのような洗浄効果が弱いため、微生物が激しく繁殖することがある。このような状況で、洗濯を繰り返すと、洗濯水中に微生物が分散し、洗濯物を汚染してしまうという問題が起こる。また、洗濯槽に微生物が繁殖していると、視覚的に使用者に不快感を与えてしまう。このような問題を解決するために、洗濯槽を洗浄する機能を備えた洗濯機が提案されている。
【０００４】
たとえば、特開２００４−３２１６８３号公報（特許文献１）では、抗菌性のある薬液を微生物の繁殖しやすい場所へ効果的に散布するために、回転可能な洗濯槽と、洗濯槽を内包する水受槽と、抗菌剤の溶けた薬液とを備え、薬液は、洗濯槽の回転する遠心力によって飛散し、洗濯槽の外側あるいは水受槽の内側に散布するようにした洗濯機が提案されている。
【０００５】
また、特開平９−５６９７２号公報（特許文献２）では、槽の洗浄効果が充分に得られるようにするために、槽洗浄コースを設け、槽洗浄コースの給水時に、または、槽洗浄コースの排水時に、最終到達水位より低い複数段階の水位でそれぞれ給水または排水を中断し、槽内に溜まった水または槽内に残った水の撹拌を所定時間ずつ行なうようにした洗濯機が提案されている。
【０００６】
さらに、特開２００４−２７５４２５号公報（特許文献３）では、金属イオンを添加した金属イオン水を洗濯工程中に洗濯槽に供給し、洗濯物および洗濯槽に抗菌効果と防カビ効果を付与する洗濯機が提案されている。
【特許文献１】特開２００４−３２１６８３号公報
【特許文献２】特開平９−５６９７２号公報
【特許文献３】特開２００４−２７５４２５号公報
【発明の開示】
【発明が解決しようとする課題】
【０００７】
特開２００４−３２１６８３号公報（特許文献１）で提案された槽洗浄は、内側に洗濯槽（内槽）、外側に水槽（外槽）を備えた、すなわち、二重槽構造の洗濯機の外槽をターゲットとして、内槽の外側あるいは外槽の内側に薬剤を散布することにより洗浄するものである。このように使用者が薬剤を散布する必要があるので、煩わしさから使用者が洗濯槽の洗浄を怠る可能性がある。このため、定期的な洗濯槽の洗浄を期待することができないので、結局、洗濯槽内での微生物の繁殖を招く可能性がある。
【０００８】
特開平９−５６９７２号公報（特許文献２）で提案された洗濯機では、給水および排水を段階的に数回中断して攪拌を行っている。しかし、この洗濯機においても、洗濯槽内での微生物の繁殖を防ぐためには薬剤を購入し、洗濯槽に投入する必要があるので、煩わしさから使用者が洗濯槽の洗浄を怠る可能性がある。このため、定期的な洗濯槽の洗浄を期待することができないので、結局、洗濯槽内での微生物の繁殖を招く可能性がある。
【０００９】
特開２００４−２７５４２５号公報（特許文献３）で提案された洗濯機では、洗濯機内で殺菌効果のある銀イオン水を使用する度に生成するため、洗濯槽を洗浄するために、薬剤の購入という特別な準備を使用者に強いられることはない。ただし、使用者が洗濯槽を洗浄する必要があると判断したときには、銀イオン水を供給するための操作をしなければならない。このため、槽洗浄のために銀イオン水を洗濯槽に供給するのであれば、使用者は槽洗浄のタイミングを意識しておく必要がある。
【００１０】
一方、この洗濯機では、銀イオン水の供給頻度が多いため、銀イオン水を供給する機能が付いていない洗濯機に比べて、微生物の繁殖頻度は低いと考えられる。しかし、この洗濯機では、洗濯物である衣類等を構成する各種繊維に抗菌効果を付与できる程度の銀イオン濃度の銀イオン水が使用されているものと考えられるので、その程度の銀イオン濃度の銀イオン水を洗濯槽に供給しても、洗濯槽内での微生物の繁殖の抑制に効果がない可能性がある。洗濯槽での微生物の繁殖、特にカビの繁殖を抑制するためには、高い銀イオン濃度の銀イオン水を使用することが好ましい。
【００１１】
そこで、この発明の目的は、洗濯槽内での微生物の繁殖、特にカビの繁殖を抑制するために十分な金属イオン濃度の金属イオン水を洗濯槽に供給することができ、かつ、洗濯物には過剰の金属イオンを付着させることがない、槽洗浄を行うことが可能な洗濯機を提供することである。
【課題を解決するための手段】
【００１２】
この発明に従った洗濯機は、洗濯物を収容する洗濯槽と、金属イオン水を生成して洗濯槽に供給する金属イオン水供給部と、洗濯槽内における洗濯物の有無を検出する洗濯物有無検出部とを備え、洗濯物が洗濯槽内に存在しないことを洗濯物有無検出部が検出したときに金属イオン水供給部が金属イオン水を生成して洗濯槽に供給する。
【００１３】
このように構成することにより、洗濯機に金属イオン水供給部が備えられているので、必要なときに必要な量だけの金属イオン水を容易に洗浄対象としての洗濯槽に付与することができ、洗濯槽を洗浄するために外部から薬剤等を供給する手間を省くことができる。また、槽洗浄の度に金属イオン水供給部によって金属イオン水は生成されるので、金属イオンの変質などがなく、確実に金属イオンの防カビ効果を付与することができる。さらに、洗濯槽を洗浄するために必要な高い濃度の金属イオン水が、洗濯槽内に洗濯物が存在しないときに供給されるため、過剰な金属イオンが洗濯物に付着することがない。以上のことから、洗濯槽内での微生物の繁殖、特にカビの繁殖を抑制するために十分な金属イオン濃度の金属イオン水を洗濯槽に供給することができ、かつ、洗濯物には過剰の金属イオンを付着させることがないように、日常的な抗菌や防カビのメンテナンスが可能となる。
【００１４】
さらに、生成された金属イオン水は、洗濯槽に至るまでの給水経路を通ることにより、普段はメンテナンスが困難な給水経路も抗菌処理を施すことができる。また、洗濯槽の壁面に金属イオン水が接触できるだけの水量と水量に見合った金属イオン濃度があればよいので、水および金属イオンの節約となる。なお、洗濯槽内における洗濯物の有無を検出する洗濯物有無検出部としては、重量センサ、温度センサなどが備えられていることが好ましい。
【００１５】
この発明の洗濯機において、所定の時間ごとに、洗濯物が洗濯槽内に存在しないことを洗濯物有無検出部が検出したときに金属イオン水供給部が金属イオン水を生成して洗濯槽に供給することが好ましい。
【００１６】
このようにすることにより、使用者が槽洗浄のタイミングを考慮しないで槽洗浄を行うことができ、槽洗浄のための煩わしさをなくすことができるとともに、洗濯槽の洗浄が定期的に行われることにより、日常的な洗濯槽内部のメンテナンスが可能となる。
【００１７】
また、この発明の洗濯機において、洗濯槽は、回転する回転槽を含み、金属イオン水供給部が洗濯槽に金属イオン水を供給したときに回転槽が回転することが好ましい。
【００１８】
このようにすることにより、洗濯槽に供給された金属イオン水を、洗濯槽の壁のすべての面に接触させることができる。なお、防カビのためには、金属イオン水が洗濯槽の壁のすべての面に接触すればよく、回転時間は短時間でもよい。
【００１９】
さらに、この発明の洗濯機において、金属イオン水が銀イオン水であり、銀イオン水の銀イオン濃度が４５０ｐｐｂ以上であることが好ましい。
【００２０】
このようにすることにより、銀イオンの高い抗菌効果により、カビの繁殖を抑制することができる。特に、銀イオン濃度が４５０ｐｐｂ以上の高濃度の銀イオン水により、一般的な家庭環境でよく見られるカビの発生を抑制することができるので、洗濯槽の壁面における防カビ効果を高めることができる。
【００２１】
なお、この発明の洗濯機において、金属イオン水が銀イオン水であり、銀イオン水が電気分解により生成されることが好ましい。
【００２２】
このようにすることにより、電気分解によって電極から電気的に金属イオンを溶出させることにより、所望の濃度の銀イオン水を生成することができるので、防カビに必要な量の銀イオンを確実に得ることができる。
【発明の効果】
【００２３】
以上のようにこの発明によれば、洗濯槽内での微生物の繁殖、特にカビの繁殖を抑制するために十分な金属イオン濃度の金属イオン水を洗濯槽に供給することができ、かつ、洗濯物には過剰の金属イオンを付着させることがないように、日常的な抗菌や防カビのメンテナンスが可能となる。
【発明を実施するための最良の形態】
【００２４】
本発明の実施形態として、防カビ可能な洗濯機を図１に従って説明する。なお、本実施形態では、金属イオン水として銀イオン水を用いた例について説明する。
【００２５】
まず、本実施形態の洗濯機の構成について説明する。図１は、この発明の洗濯機の一つの実施の形態として、洗濯乾燥機の概略的な構成を示す一つの側断面図である。
【００２６】
図１に示すように、洗濯乾燥機１００は、本体１と、本体１の内部に取り付けられた洗濯槽としての水槽２と、水槽２の内部で回転可能に支持され、洗濯物を収容する回転槽としての回転ドラム３とを備える。
【００２７】
回転ドラム３の底には、モータ４で回転ドラム３を正逆に回転させる回転機構部が取り付けられている。洗濯物を出し入れすることができ、かつ、気密性と水密性を保つためにドアユニット５が回転ドラム３の開口部に対して開閉可能に取り付けられている。ドアユニット５には、外部から洗濯物の状態を視認することができるようにドアガラス５１が設けられている。
【００２８】
金属イオン水を生成して水槽２に供給する金属イオン水供給部としての銀イオン付与部６は、給水管６１と、金属イオン生成部として、給水管６１に接続された銀イオン溶出ユニット６２と、水槽２の給水口との間を接続する給水経路６３とから構成される。銀イオン溶出ユニット６２の内部には、２枚の板状の銀電極が間隔をおいて配置されている。給水管６１を通じて銀イオン溶出ユニット６２の内部に水を供給し、銀電極間に電圧を印加することにより、銀イオン溶出ユニット６２の内部に銀イオンが溶出する。銀イオンを含む水は、給水経路６３を通じて水槽２の内部に供給される。これにより、洗濯槽としての水槽２の内周壁面２１と回転ドラム３の外周壁面３１および内周壁面３２に銀イオン水が付与される。さらに、給水経路６３と連通している洗剤投入口（図示せず）にも銀イオン水が接触することになる。
【００２９】
次に、以上のようにして構成された本発明の洗濯機において防カビ効果を付与する「洗濯槽洗浄」工程の動作について説明する。洗濯槽洗浄工程は、洗濯機の洗い、すすぎ、脱水といった一連の洗濯工程には含まれておらず、一連の洗濯工程から独立した洗濯槽洗浄工程のみを行う洗濯機の運転によって行われる。
【００３０】
使用者が洗濯機の電源をＯＮにし、操作スイッチ部の操作ボタン群（図示せず）を洗濯槽洗浄工程に設定すると、洗濯槽洗浄工程のみが運転される。このとき、洗濯槽洗浄工程開始のタイミングを、タイマー設定にしておき、所定の時間がくると自動的に洗濯機の電源がＯＮになり、洗濯槽洗浄工程が開始されることが好ましい。たとえば一週間に一回の運転、１日１回の運転、または、一定時間置きの運転といったように、運転頻度も設定できるようにしておくとよい。このようにすると、使用者がわざわざ洗濯槽洗浄工程のために洗濯機を操作する必要がなく、使用者の煩わしさをなくすことができるとともに、洗濯槽洗浄工程が定期的に行われることにより、日常的な洗濯機内部のメンテナンスが可能となる。洗濯槽洗浄工程の運転頻度は使用者が設定できるようにしてもよい。
【００３１】
なお、洗濯槽洗浄工程は、水槽２に洗濯物があるときには行われない。「洗濯槽洗浄」工程で供給される銀イオン濃度は、衣類を抗菌・防臭するには過剰な濃度であるため、抵抗を感じる使用者がいるかもしれない。しかし、本発明の洗濯機では、洗濯槽に洗濯物が存在しないときに銀イオン水を供給するので、洗濯物に過剰な銀イオンが付着することがなく、使用者が安心して使用することができる。
【００３２】
図２は、この発明の洗濯機の一つの実施の形態としての洗濯乾燥機１００において洗濯槽洗浄工程を行うための制御関連の構成を示すブロック図である。図３は、この発明の洗濯機の一つの実施の形態としての洗濯乾燥機において洗濯槽洗浄工程を示すフローチャートである。
【００３３】
図２と図３を用いて、洗濯槽洗浄工程の基本的動作の説明を行う。
【００３４】
図３に示すようにステップＳ１０１では、水槽２内に洗濯物があるかないかを、図２に示す洗濯物有無検出部９が判断する。洗濯物の有無を判断する手段としての洗濯物有無検出部９は、たとえば、重量センサ、温度センサなどから構成される。これらのセンサを用いないで、通常の洗濯物の洗濯工程終了後に、蓋の開閉の有無により、洗濯物の有無を判断してもよい。すなわち、一度蓋が開閉されれば、洗濯物が取り出されたと判断し、その際に洗濯槽洗浄工程を行ってもよい。
【００３５】
ステップＳ１０１で水槽２内に洗濯物があると判断された場合には、洗濯槽洗浄工程を中止する。ステップＳ１０１で洗濯物がないと判断された場合には、図２に示す洗濯物有無検出部９が金属イオン水供給部６に動作を開始するように指令し、金属イオン生成部６２にて金属イオンを生成し、ステップＳ１０２にて水槽２への銀イオン水の供給を開始する。
【００３６】
ステップＳ１０２では、給水弁が開き、給水管６１を通じて設定水位まで給水が行われる。
【００３７】
図４は、この発明の洗濯機の一つの実施の形態としての洗濯乾燥機に設けられる銀イオン付与部の構成を示す水平断面図である。図４に示すように、銀イオン付与部６では、給水管６１を通じて銀イオン溶出ユニット６２の内部に水を供給し、電極６２ａ、６２ｂ間に電圧を印加することにより、銀イオン溶出ユニット６２の内部に銀イオンが溶出する。本実施形態では、銀イオン濃度は約４５０ｐｐｂである。銀イオンを含む水は、給水経路６３を通じて水槽２の内部に供給される。これにより、洗濯槽としての水槽２の内周壁面２１と回転ドラム３の外周壁面３１および内周壁面３２とに銀イオン水が付与される。なお、給水管６１、給水経路６３とこれらに連通する部分にも、銀イオン水が接触する。水槽２に所定の水量の銀イオン水が溜まったら、ステップS１０３に移行する。
【００３８】
ステップＳ１０３では、洗濯槽洗浄タンブリングを行う。この洗濯槽洗浄タンブリングでは、回転ドラム３が低速で回転し、水槽２に溜まっている銀イオン水が、回転ドラム３の外周壁面３１および内周壁面３２のすみずみまで行き渡るようにする。タンブリングは、銀イオン水が回転ドラム３の内外周壁面に接触するように行わればよく、タンブリング時間は数十秒から１分程度でよい。
【００３９】
タンブリングが終了したら、ステップＳ１０４で排水弁が開く。これにより、水槽２の中の銀イオン水は、排水弁を通じて排出される。このとき、図１に示される排水ポンプ７や排水管８に銀イオン水が接触することになるため、排水ポンプ７と排水管８にも銀イオン水により防カビ効果が付与される。
【００４０】
ステップＳ１０５では、ブレーキをかける等の停止処理が自動的に進められる。
【００４１】
図４に示すように、銀イオン付与部６は、給水管６１と、給水管６１に接続された銀イオン溶出ユニット６２と、銀イオン溶出ユニット６２と水槽２との間を接続する給水経路６３とから構成される。銀イオン溶出ユニット６２の内部には、２枚の板状の電極６２a、６２ｂが間隔をおいて配置されている。給水管６１を通じて銀イオン溶出ユニット６２の内部に水を供給し、電極６２a、６２ｂ間に電圧を印加することにより、電極構成金属のイオンを水中に溶出させる。電極構成金属が銀の場合、陽極側の電極においてＡｇ→Ａｇ＋ｅ−の反応が生じ、水中に銀イオンＡｇ＋が溶出する。電極間を流れる電流は直流である。銀イオンを含む水は、給水経路６３を通じて水槽２につながる給水管内部に供給される。
【００４２】
電極６２a、６２ｂを構成する金属としては、銀以外では、銅、亜鉛、または、銀、銅、亜鉛の合金であってもよい。銀電極から溶出する銀イオン、亜鉛電極から溶出する亜鉛イオンは、殺菌効果に優れ、銅電極から溶出する銅イオンは、防カビ性に優れている。また、これらの合金からは、成分金属のイオンを同時に溶出させることができるので、優れた殺菌効果および防カビ効果を得ることができる。
【００４３】
なお、本実施形態においては、濃度が約４５０ｐｐｂの銀イオン水を使用しているが、防カビのターゲットとする真菌に応じて、さらに高濃度の銀イオン水を使用してもよい。本実施形態で示す４５０ｐｐｂという濃度の値は、洗濯槽の壁にカビを繁殖させないために必要な銀イオン濃度の必要最小限濃度である。
【００４４】
このように、銀イオン水を生成する手段として銀イオン溶出ユニット６２を洗濯機に備えておけば、所定の時間になれば、必要な量だけの銀イオン水を自動的に生成して水槽２に供給することができるため、銀イオン水の供給し忘れがなくなるし、外部から供給する手間も省ける。また、毎回銀イオン水は生成されるので、銀イオンの変質などがなく、確実に銀イオンの防カビ効果を付与することができる。以上により、日常的な防カビメンテナンスが可能となる。
【００４５】
上記の実施形態では、横型の回転ドラムを備えた洗濯乾燥機に本発明を適用した例について説明したが、縦型の内槽と外槽を備えた洗濯機等に本発明を適用しても、同様の作用効果を得ることができる。
【実施例】
【００４６】
本発明の洗濯機によって得られる効果について実験データに基づいて以下に説明する。
【００４７】
銀イオンを添加した寒天培地にカビの菌液を植菌し、寒天培地上にカビが発生するかどうかを確認した。寒天培地に添加する銀イオン濃度は、本発明の実施の形態の洗濯機と同様の４５０ｐｐｂにした。銀イオンを添加した培地と比較するために、銀イオンを添加していない培地（銀イオン濃度：０ｐｐｂ）も準備した。
【００４８】
また、通常、洗濯機には、洗剤の石鹸カスなどが徐々に蓄積されて細菌やカビの栄養源となる。そのような栄養源と仮定して界面活性剤（オレイン酸ナトリウム）を、濃度を変えて銀イオンと同時に寒天培地に添加した。添加した界面活性剤の濃度は、通常の洗濯で、洗濯工程時に使用される洗剤中に含まれる濃度とほぼ等しい０．０１％、すすぎ工程時に残っている洗剤中に含まれる濃度とほぼ等しい０．００２％、洗剤が通常洗濯時よりも過剰に存在する場合を想定した０．０５％の３種類とした。なお、すすぎ工程においては、すすぎ回数が増えれば、カビの栄養分である界面活性剤濃度が０．００２％より低下すると考えられるが、栄養分を意図的に添加していない寒天培地にもカビは発生するものであり、栄養分の有無にかかわらずカビは繁殖することもある。本試験では、すすぎを２回行った後の界面活性剤の濃度を想定している。
【００４９】
カビの菌液は１種類準備し、同じ菌液を準備した寒天培地のすべてに植菌した。試験に供したカビは、一般家庭の洗濯機でよく見られるScolecobasidium sp.とした。
【００５０】
カビの菌液を寒天培地に植菌後、温度２５℃で１０日間培養し、寒天培地上に発生したカビのコロニー数を数えた。その結果を表１に示す。
【００５１】
【表１】
2008183174.tif 000003
【００５２】
表１に示すように、比較のために実験した、銀イオンを添加していない培地（銀イオン濃度：０ｐｐｂ）では、すべての栄養分濃度（界面活性剤の濃度）にて、カビの発生が見られたのに対し、４５０ｐｐｂの銀イオンを添加した培地では、すべての栄養分濃度（界面活性剤の濃度）にて、カビの発生は見られなかった。
【００５３】
この結果から、銀イオン水を使用していない洗濯機では界面活性剤を栄養分としてカビが生えてくるが、銀イオン水を使用している洗濯機では、銀イオン濃度が４５０ｐｐｂ以上であれば、カビの発生が抑えられることがわかる。なお、高濃度の界面活性剤（０．０５％）が存在する環境下でも、カビの発生が抑えられていることから、界面活性剤を含んだ水が蒸発して界面活性剤がある程度濃縮された場合においても、４５０ｐｐｂ以上の銀イオン濃度で確実にカビ抑制の効果が発揮されていることがわかる。
【００５４】
以上の結果は、銀イオン濃度が４５０ｐｐｂ以上の銀イオン水を定期的に洗濯槽に接触させることによって、洗濯槽でのカビの発生を抑制することが可能であることを示している。
【００５５】
以上に開示された実施の形態や実施例はすべての点で例示であって制限的なものではないと考慮されるべきである。本発明の範囲は、以上の実施の形態や実施例ではなく、特許請求の範囲によって示され、特許請求の範囲と均等の意味および範囲内でのすべての修正や変形を含むものである。
【図面の簡単な説明】
【００５６】
【図１】この発明の洗濯機の一つの実施の形態として、洗濯乾燥機の概略的な構成を示す一つの側断面図である。
【図２】この発明の洗濯機の一つの実施の形態としての洗濯乾燥機において洗濯槽洗浄工程を行うための制御関連の構成を示すブロック図である。
【図３】この発明の洗濯機の一つの実施の形態としての洗濯乾燥機において洗濯槽洗浄工程を示すフローチャートである。
【図４】この発明の洗濯機の一つの実施の形態としての洗濯乾燥機に設けられる銀イオン付与部の構成を示す水平断面図である。
【符号の説明】
【００５７】
１００：洗濯乾燥機、２：水槽、３：回転ドラム、６：銀イオン付与部（金属イオン水供給部）、９：洗濯物有無検出部、６１：給水管、６２：銀イオン溶出ユニット（金属イオン生成部）、６３：給水経路。
【図１】
2008183174.tif 000004
【図２】
2008183174.tif 000005
【図３】
2008183174.tif 000006
【図４】
2008183174.tif 000007